(57)【要約】  概して、大多数の電子デバイスが用いる１つの共通のコンポーネント、すなわちバッテリに、感知、演算及び通信機能を組み込むことに関する電気バッテリ装置の実施形態が提示される。これらの機能を使い捨て及び／又は再充電可能なバッテリに統合することにより、新たな機能性及びインテリジェンスを、そうではないスタンドアロンのデバイスに提供することができる。
2016503562.tif 000002
【特許請求の範囲】
【請求項１】
電気バッテリ装置であって、
別個の電子デバイスに電力を供給する１つ又は複数の電気バッテリと、
外部の状態をモニタする１つ又は複数のセンサと、
各センサと通信するコンピューティングデバイスと、
前記コンピューティングデバイスによって実行されるプログラムモジュールを備えるコンピュータプログラムであって、前記コンピューティングデバイスは、該コンピュータプログラムのプログラムモジュールによって、少なくとも各センサの動作を制御するよう指示される、
電気バッテリ装置。
【請求項２】
前記１つ又は複数のセンサは更に、電気バッテリの状態をモニタし、
前記コンピュータプログラムのモジュールは、バッテリ電力利用パターンをトラック及び記録するモジュールを備える、
請求項１に記載の電気バッテリ装置。
【請求項３】
データを伝送し、かつ前記コンピューティングデバイスと通信するトランスミッタを更に備え、
前記コンピュータプログラムのモジュールは、前記トランスミッタを使用して、前記記録されたバッテリ電力利用パターンを、データ通信ネットワークを介してリモートコンピューティングデバイスに伝送するモジュールを更に備える、
請求項２に記載の電気バッテリ装置。
【請求項４】
前記コンピュータプログラムのモジュールは、各センサによって出力されるセンサデータをトラック及び記録するモジュールを備える、
請求項１に記載の電気バッテリ装置。
【請求項５】
前記１つ又は複数の電気バッテリによって前記別個の電子デバイスに供給される電力量を制御し、かつ前記コンピューティングデバイスと通信する電力制御デバイスを更に備え、
前記１つ又は複数のセンサは更に、電気バッテリの状態をモニタし、
前記コンピュータプログラムのモジュールは、前記別個の電子デバイスに供給される電力量を、前記１つ又は複数のセンサのうちの少なくとも１つによって出力されるセンサデータに基づいて制御するモジュールを更に備え、前記別個の電子デバイスへの電力は、前記電力制御デバイスを使用して制御される、
請求項４に記載の電気バッテリ装置。
【請求項６】
データを伝送し、かつ前記コンピューティングデバイスと通信するトランスミッタを更に備え、
前記コンピュータプログラムのモジュールは、前記記録されたセンサデータを、データ通信ネットワークを介してリモートコンピューティングデバイスに伝送するモジュールを更に備える、
請求項４に記載の電気バッテリ装置。
【請求項７】
当該電気バッテリ装置の位置を決定し、かつ前記コンピューティングデバイスと通信する位置決定デバイスを更に備え、
前記コンピュータプログラムのモジュールは、前記位置決定デバイスを使用して当該電気バッテリ装置の現在の位置を特定するモジュールを更に備える、
請求項１に記載の電気バッテリ装置。
【請求項８】
データを伝送し、かつ前記コンピューティングデバイスと通信するトランスミッタを更に備え、
前記コンピュータプログラムのモジュールは、当該電気バッテリ装置の前記現在の位置を、データ通信ネットワークを介してリモートコンピューティングデバイスに伝送するモジュールを更に備える、
請求項７に記載の電気バッテリ装置。
【請求項９】
前記コンピュータプログラムのモジュールは、前記１つ又は複数のセンサの出力に基づいて、当該電気バッテリ装置の所定の距離内にある対象物を特定するモジュールを更に備える、
請求項１に記載の電気バッテリ装置。
【請求項１０】
電気バッテリ装置であって、
別個の電子デバイスに電力を供給する１つ又は複数の電気バッテリと、
前記１つ又は複数の電気バッテリによって前記別個の電子デバイスに供給される電力量を制御する電力制御デバイスと、
電気バッテリの状態、外部の状態又はその双方をモニタする１つ又は複数のセンサと、
データ通信ネットワークを介してデータをリモートコンピューティングデバイスに伝送し、前記のネットワークを介してリモートコンピューティングデバイスからデータ及びコマンドを受信するトランシーバと、
前記電力制御デバイス、各センサ及び前記トランシーバと通信するコンピューティングデバイスと、
前記コンピューティングデバイスによって実行されるプログラムモジュールを備えるコンピュータプログラムであって、該コンピュータプログラムのプログラムモジュールによって、前記コンピューティングデバイスが、前記リモートコンピューティングデバイスから受信されるデータ及びコマンドに少なくとも部分的に基づいて、少なくとも前記電力制御デバイス、各センサ及び前記トランシーバの動作を制御するよう指示される、
電気バッテリ装置。
【発明の詳細な説明】
【技術分野】
【０００１】
本発明は、計算、感知及び通信機能を有するバッテリに関する。
【背景技術】
【０００２】
電気バッテリは、蓄積された化学エネルギを電気エネルギに変換するのに使用される、電気化学セル又は複数の相互接続されるセルを有する。多くの電子デバイスは、現在バッテリを主電源又はバックアップ電源として用いる。これらの電子デバイスは、（補聴器のような）小型デバイスから（コンピュータデータセンタのような）部屋程のサイズのデバイスまでサイズ及び電力要件の点で異なる。したがって、バッテリは様々なサイズ及び形状で作られる。例えば小さなデバイスは、小型のウエハ型のボタンバッテリを用いることが多い。より大きなデバイスは、サイズ（例えばＡＡＡ、ＡＡ、Ｃ、Ｄ）で指定される周知の円筒型のバッテリを用いる。電気バッテリは、蓄積された化学エネルギが使い果たされた後は廃棄される、使い捨てタイプとすることができ、あるいは周知の再充電方法により、化学エネルギを複数回蓄積することができる、再充電タイプのものとすることもできる。
【発明の概要】
【０００３】
本明細書で説明される電気バッテリ装置（electrical  battery  apparatus）の実施形態は、概して、感知、演算及び通信機能を、多くの電子デバイスが用いる１つの共通のコンポーネント、すなわち以前に説明したバッテリに組み込むことに関する。これらの機能を使い捨て及び／又は再充電可能なバッテリに統合することにより、新たな機能性及びインテリジェンスを、そうではないスタンドアロンのデバイスに提供することができる。
【０００４】
一実施形態において、電気バッテリ装置は、別個の電子デバイスに電力を供給する１つ又は複数の電気バッテリを備える。加えて、電気バッテリの状態、外部の状態又はその双方をモニタする１つ又は複数のセンサが存在する。センサは、コンピューティングデバイスと通信する。このコンピューティングデバイスは、少なくとも各センサの動作を制御するために実行されるプログラムモジュールを有するコンピュータプログラムを含む。コンピューティングデバイスは、（インターネット又は専用のイントラネットのような）データ通信ネットワーク上で、インタフェースコンポーネントに結合されるトランスミッタを介してリモートコンピューティングデバイスと通信するインタフェースコンポーネントを含むように構成されることも可能である。さらに、一実施形態において、電気バッテリ装置は、１つ又は複数の電気バッテリによって別個の電子デバイスに供給される電力量を制御し、かつ上記のコンピューティングデバイスと通信する電力制御デバイスを含む。
【０００５】
別の実施形態において、上述の電子機器は、市販のバッテリの周囲に適合するケース内に組み込まれる。この電気バッテリ装置の実施形態は、電力制御デバイスと、１つ又は複数のセンサと、トランスミッタと、（上述の実施形態のようにコンピュータプログラムとともに）コンピューティングデバイスを含む。これらの電子コンポーネントは、１つ又は複数の電気バッテリを受け入れて保持する、支持構造内に組み込まれる。この構造は電気接点を含み、この電気接点は、１つ又は複数の電気バッテリから別個の電子デバイスへ、このデバイスに電力を供給するよう電流を送る。
【０００６】
この「発明の概要」の記載は、以下の「発明を実施するための形態」において更に説明される概念の選択を、簡略化した形で紹介するために提供される。この「発明の概要」の記載は、特許請求に係る主題の主要な特徴又は本質的な特徴を特定するようには意図されておらず、また特許請求に係る主題の範囲を画定する際の助けとして用いられるようにも意図されていない。
【図面の簡単な説明】
【０００７】
本開示の具体的な特徴、態様及び利点は、以下の説明、添付の特許請求の範囲及び図面との関連でより良く理解されるであろう。
【図１】センサ装置、電力制御デバイス、トランスミッタ、コンピューティングデバイス及びバッテリを含む、電気バッテリ装置の実施形態を示す簡略化された図である。
【図２】センサ装置、電力制御デバイス、トランスミッタ、コンピューティングデバイスを含み、かつ１つ又は複数の電気バッテリを受け入れて保持するケースを含む、電気バッテリ装置の実施形態を示す簡略化された図である。
【図３】センサ装置、電力制御デバイス、トランシーバ、コンピューティングデバイス及びバッテリを含む、電気バッテリ装置の実施形態を示す簡略化された図である。
【図４】本明細書で説明される電気バッテリ装置の実施形態に含まれる、例示のシステムを構成する汎用のコンピューティングデバイスを示す図である。
【発明を実施するための形態】
【０００８】
電気バッテリ装置の実施形態についての以下の説明では、添付の図面への参照を行うが、図面は、具体的な実装の一部を形成し、例として図示されている。他の実装を用いてもよく、説明される実施形態の範囲から逸脱することなく、構造的変更を行ってもよいことが理解されよう。
【０００９】
明確性のために、本明細書で説明される電気バッテリ装置の実施形態について議論する際に具体的な用語が用いられるが、これらの実施形態は、そのように選択された具体的な用語に限定されるよう意図されていないことも認識されたい。さらに、それぞれの具体的な用語は、同様の目的を達成するよう広く同様の方法で動作するその技術的に均等なものを全て含むことが理解されよう。本明細書において、「一実施形態」、「別の実施形態」、「例示の実施形態」、「代替の実施形態」、あるいは「一実装」、「別の実装」、「例示の実装」、「代替の実装」への言及は、その実施形態又は実装との関連で説明される特定の特徴、特定の構造又は特定の特性が、電気バッテリ装置の少なくとも１つの実施形態に含まれ得ることを意味する。本明細書の様々な箇所における「一実施形態において」、「別の実施形態において」、「例示の実施形態において」、「代替の実施形態において」、あるいは「一実装において」、「別の実装において」、「例示の実装において」、「代替の実装において」というフレーズの使用は、必ずしも全て同じ実施形態又は実装を指してはおらず、他の実施形態／実装を相互に排他する別個又は代替の実施形態／実装でもない。またさらに、１つ又は複数の実施形態又は実装を表す処理フローの順序は、暗黙的に任意の特定の順序を示すものではなく、いかなる限定も暗示するものではない。
【００１０】
１．０  電気バッテリ装置
本明細書で説明される電気バッテリ装置の実施形態は、概して、感知、計算及び通信機能を、様々な電子デバイスが用いる１つの共通のコンポーネント、すなわち以前に説明したバッテリに組み込むことを含む。これらの機能を使い捨て及び／又は再充電可能なバッテリに統合することにより、新たな機能性及びインテリジェンスを、そうではないスタンドアロンの（「ダム（dumb）」）デバイスに提供することができる。ホスト電子デバイスは、電気バッテリ装置の存在又は機能を知る必要さえない。
【００１１】
一実施形態において、感知、計算及び通信装置を直接バッテリに組み込み、その結果として得られる電気バッテリ装置は、バッテリ式の電子デバイスのバッテリ区画内に合うようサイズ調整される。より具体的には、図１を参照すると、１つの一般的な実施形態において、電気バッテリ装置１００は、１つ又は複数の電気バッテリ１０２を含み、この電気バッテリ１０２は、電気接点１２０を介して別個の電子デバイス１０４に電力を供給する。また、オプションとして含まれるのは、１つ又は複数の電気バッテリ１０２によって別個のデバイス１０４に供給される電力量を制御する、電力制御デバイス１０６である。加えて、電気バッテリの状態、外部の状態又はその双方をモニタすることができる、１つ又は複数のセンサ１０８が存在する。電力制御デバイス１０６とセンサ１０８の各々は、（以下の例示の動作環境に関して説明されるような）コンピューティングデバイス１１０と通信する。コンピューティングデバイス１１０は、少なくとも電力制御デバイス及び各センサ（及びオプションで簡潔に説明されるような他のデバイス）の動作を制御するよう実行される、プログラムモジュールを有するコンピュータプログラムを含む。
【００１２】
別の実施形態では、通常はバッテリの先端部分(end)の上とエッジの周囲に、その機器を含むのに使用することができるいくらかのスペースがあるので、上述の機器が、市販のバッテリの周囲に合うケース内に組み込まれる。一般に、図２を参照すると、この電気バッテリ装置の実施形態２００は、上述のように、オプションの電力制御デバイス２０６と、１つ又は複数のセンサ２０８と、（コンピュータプログラムとともに）コンピューティングデバイス２１０を含む。これらの電子コンポーネントは、バッテリ区画２０４内の１つ又は複数の電気バッテリ（図示せず）を受け入れて保持する、支持構造２０２内に組み込まれる。この構造２０２は、別個の電子デバイス（図示せず）へ電力を供給するよう、１つ又は複数の電気バッテリからその電子デバイスへ電流を流す、電気接点２１２を含む。
【００１３】
一般に、上述の支持構造は、バッテリ式の電子デバイスのバッテリ区画内に合うようサイズ調整される。しかしながら、バッテリ区画が、上述の電気バッテリケースと、バッテリとともに設置されたそのコンポーネントとの双方に適合するには小さすぎる、という状況があり得る。一実施形態において、これは、同じ電圧及び電流能力を有するものであっても、電子デバイスのバッテリ区画内に通常設置されるであろう、物理的により小さいサイズのバッテリを選ぶことにより対処される（あるいは、支持構造内の追加のコンポーネントによって、元のバッテリの電圧及び電流能力に適合するよう修正される）。より小さなバッテリによって生じる追加の余白は、上述のコンポーネントのために支持構造内の更なるスペースを許容する。例えば一実装において、標準のＡＡサイズのバッテリが、そのコンポーネントのために支持構造内に更なる余白を提供するために、標準のＡＡＡサイズのバッテリと置き換えられる。
【００１４】
上述の電気バッテリ装置の実施形態のいずれかにおいて、オンボードのコンピューティングデバイスは、一実装において、リモートコンピューティングデバイスと通信するインタフェースコンポーネント（図１の１１２及び図２の２１４）を含むように構成されてもよいことも認識されたい。これは、標準のハードワイヤードインタフェース（図示せず）とすることができ、あるいは後で詳細に説明されるように、トランスミッタ（図１の１１４及び図２の２１６）と結合される無線インタフェースとすることもできる。トランスミッタは、無線又は光（例えば赤外線）周波数で動作する任意の適切な無線のトランスミッタとすることができる。上述のコンポーネントの一部のオプション的性質は、図１及び図２ではボックスが破線であることにより示されている。
【００１５】
２．０  感知、計算及び通信機能
以前に示したように、本明細書で説明される電気バッテリ装置は、少なくとも各センサ（及びオプションで電力制御デバイスのような他のデバイス）の動作を制御するのに使用される、コンピュータプログラムを有するコンピューティングデバイスを含む。したがって、様々な有利な感知、検出及び通信機能を実現することができる。そのような機能の例には、以下のセクションで説明されるものが含まれるが、これらには限定されない。ホスト電子デバイスに供給される電力に対する制御を要するこれらの実施形態について、上述の電力制御デバイスが装置内に設置されると想定されることになることが認識される。
【００１６】
２．１  電力使用及びセンサデータのトラッキングと記録
一実施形態において、上述のセンサは、電気バッテリの状態もモニタする。したがって、バッテリから得られる電力に基づいて、あるいは（加速度計や温度計等のような）他の組み込みセンサに基づいて、利用パターンをトラックすることが可能である。これらの利用パターンは、電気バッテリ装置又は電気バッテリケースをホストしているバッテリ式の電子デバイスがまだ使用されているかどうか及び使用されている時を示す情報を提供する。限定ではないが、例えばホスト電子デバイスが子供のおもちゃの場合、利用パターンデータを分析して、そのおもちゃがまだ遊びに使われているかどうか、あるいは単に地面に置かれていて廃棄するか又は売るべきであるかどうかを決定することができる。
【００１７】
幾つかのシナリオでは、電気バッテリ装置は、どのタイプの電子デバイス内に設置されるかが分からないことがあり、したがって、これは特に電力利用パターンの分析を妨げることがあることが認識される。しかしながら、特定のタイプの電子デバイスについて電力利用パターンが予測可能である場合、記録されたパターンを用いてデバイスのタイプを自動的に検出することが可能である。したがって、ホスト電子デバイスの電力利用パターンを分析することは（他の中でも特に）より適切なものとなるであろう。
【００１８】
したがって、一実施形態において、電気バッテリ装置内のコンピューティングデバイス上で動作するコンピュータプログラムは、バッテリ電力利用パターンをトラックして記録するためのモジュールを含む。さらに、一実施形態において、電気バッテリ装置は、コンピューティングデバイスと通信する通知デバイス（図１の１１６及び図２の２１８）を含む。一実装において、上述のコンピュータプログラムは、ユーザ通知デバイスにより、バッテリ式の電子デバイスのユーザに、記録されたバッテリ利用パターンについて通知するモジュールを含む。通知デバイスは、幾つかの形式（例えばビジュアル、可聴、触覚又はこれらの任意の組合せ）のうちのいずれかをとることができる。限定ではないが、例えば通知デバイスは、照明のセット、１つ又は複数のオーディオスピーカ、振動デバイス、ディスプレイ画面等とすることができる。またさらに、一実装において、上述のコンピュータプログラムは、上述のトランスミッタを用いて、記録された電力利用パターンを、標準のデータ通信ネットワークを介してリモートコンピューティングデバイスに送信するモジュールを含む。
【００１９】
加えて、一実施形態において、電気バッテリ装置内のコンピューティングデバイス上で動作するコンピュータプログラムは、各センサによって出力されるセンサデータをトラッキング及び記録するためのモジュールを含む。一実装において、上述のコンピュータプログラムは、ユーザ通知デバイスを介して、バッテリ式の電子デバイスのユーザに記録されたセンサデータを通知するモジュールを含む。またさらに、一実装において、上述のコンピュータプログラムは、上述のトランスミッタを用いて、記録されたセンサデータを、標準のデータ通信ネットワークを介してリモートコンピューティングデバイスに送信するモジュールを含む。更に別の実施形態では、電力制御デバイスが装置の一部であり、上述のコンピュータプログラムは、ホスト電子デバイスに供給される電力量を、１つ又は複数のセンサのうちの少なくとも１つによって出力されるセンサデータに基づいて制御するモジュールを含む。バッテリ電力は、上述の電力制御デバイスを使用して制御される。
【００２０】
さらに、一実施形態において、電気バッテリ装置内のコンピューティングデバイス上で動作するコンピュータプログラムが、当該装置の各センサによって出力されるセンサデータをトラッキング及び記録するためのモジュールと、上述のトランスミッタを用いて、記録されたセンサデータを、標準のデータ通信ネットワークを介してリモートコンピューティングデバイスに送信するモジュールとを含む場合、リモートコンピュータは、そのような装置のグループを用いてセンサネットワークを形成することができる。電気バッテリ装置のグループからのセンサデータをモニタリングすることも、非常に有益なことである。例えばリモートコンピューティングデバイスは、空間（例えば家やオフィス）内に作成されるセンサネットワークを利用することができ、この場合、グループ内の各電気バッテリ装置が温度センサを含み、これらのセンサは、リモートコンピューティングデバイスによって制御される、より効果的な冷暖房をもたらすように、その空間全体に分散される。
【００２１】
２．２  位置感知
電気バッテリ装置内の上述の１つ又は複数のセンサは、ホスト電子デバイスの現在の位置を感知することも可能であり、このホスト電子デバイスの現在の位置を、他の対象物（例えば電気バッテリ装置を用いる他の電子デバイス）との相対で、あるいは（例えばＷｉＦｉの位置確認を使用して）環境内の全体値として感知することができる。これは、デバイスが移動されるときにインテリジェントに動作することを可能にする。限定ではないが、例えばホスト電子デバイスの位置を知ることは、いつデバイスをターンオン及びターンオフすべきかを決定するのに使用され得る（例えばマイクロフォン録音デバイスは、機密な空間内にあるときは自身をシャットダウンすることとなり、あるいは子供のおもちゃはキッチンでは機能しないことになる）。この位置機能を用いて、ホスト電子デバイスが、その割り当てられたエリア又は論理エリアを離れている時又は離れた時をユーザに通知することもできる（例えばテレビ又はラジオ制御されるおもちゃの車のリモート制御は、このおもちゃの車が指定のエリアから出されるときにビープ音を出すことができる）。電気バッテリ装置は、リモートコンピューティングデバイスと通信する場合、位置メッセージをそのデバイスに送信することができる。これは、多くの点で有利であり得る。限定ではないが、例えばユーザは、電気バッテリ装置又は電気バッテリケースをホストしている、置き忘れたか盗まれた電子デバイスの位置を見つけることができる。位置ログをローカルで生成して、後にリモートコンピューティングデバイスに送信してもよく、あるいは電気バッテリ装置は、周期的にその現在の位置をリモートコンピューティングデバイスに送信し、このデバイスがログを生成してもよい。
【００２２】
したがって、一実施形態において、電気バッテリ装置は、コンピューティングデバイスと通信する位置決定デバイス（図１の１１８及び図２の２２０）を含む。位置決定デバイスは、電気バッテリ装置の位置を（したがってバッテリ式のホスト電子デバイスの位置も）決定する。一実施形態において、上述のコンピュータプログラムは、位置決定デバイスを使用して電気バッテリ装置の現在の絶対位置を識別するか、電気バッテリ装置が特定の対象物の所定の距離内にあることを示すモジュールを含む。別の実施形態では、コンピュータプログラムは、上述のユーザ通知デバイスを用いて、ホスト電子デバイスのユーザに、その現在の相対位置又は絶対位置を通知するモジュールも含む。
【００２３】
さらに、また別の実施形態では、コンピュータプログラムは、上述のトランスミッタを用いて、標準のデータ通信ネットワークを介して、上述の位置データをリモートコンピューティングデバイスに送信するモジュールも含む。ホスト電子デバイスのグループ内の各電気バッテリ装置が、上述したように空間内に分散される位置感知デバイスを含む場合、リモートコンピュータは、受信した位置データ（incoming  location  data）を用いて、空間をマップするか空間内の装置のグループの現在の位置をマップしてもよい。したがって、例えばバッテリ式の機器の位置及びホスト電子デバイスを保持している人々の位置をマップすることができる。
【００２４】
２．３  ジェスチャ及び動き感知
典型的にはジェスチャ又は動き感知機能を有していない電子デバイスを、電気バッテリ装置により、これらの機能で強化することができる。動きセンサ、方向センサ又はその双方（例えば加速度計及び／又はジャイロ）を電気バッテリ装置に組み込むことにより、動きを感知し、明示的なジェスチャ（例えば振る、揺らす（bump）等）を識別することが可能である。この機能を様々な動作に使用することができるので有利である。
【００２５】
限定ではないが、例えば一実施形態において、上述のコンピュータプログラムは、ホスト電子デバイスがあまりにも乱暴に扱われていることを示す動きを認識するモジュールを含む。過度に乱暴な取扱いが検出されると、このモジュールは、上述の電力制御デバイスを用いて、ホストデバイスをターンオフすることがある。例えば子供がタッチ画面をあまりに強くタップしている場合、ホストデバイスはシャットオフすることとなり、これにより、最終的にはタッチ画面を正しくはどのように使用すべきかを子供に教えることとなる。同様に、ホスト電子デバイスが落とされたことを示す動きが検出された場合、ホストデバイスは、地面による衝撃のダメージを最小限にするように、すぐにシャットオフすることが可能である。
【００２６】
別の例は、これもやはり限定ではないが、ホスト電子デバイスが（電気バッテリ装置を用いるものであっても用いないものであってもよい）別の電子デバイスに出会っている（bump）ことを示す動きを認識するモジュールを含む、上述のコンピュータプログラムの実施形態に関する。そのような出会いが検出されると、このモジュールは、既存のホスト電子デバイスの操作を開始して、出会ったデバイスをペアリングするであろう。例えばホストスマートフォンが無線キーボードに出会うと、これらの２つのデバイスはペアリングされることになる。
【００２７】
更に別の例は、これもやはり限定ではないが、ユーザの指示を示す動きを認識するモジュールを含む、上述のコンピュータプログラムの実施形態に関する。所定のジェスチャ（例えばホスト電子デバイスを所定の方法で振ること）が検出されると、このモジュールは、意図された指示を、予め保存されたジェスチャグループから識別し、その指示の実行を開始することになる。例えば検出されたジェスチャは、ユーザが、上述のような方法でユーザ通知デバイスにより、記録されたバッテリ電力利用パターンが通知されることを望んでいることを示すことができる。
【００２８】
２．４  認証
上述の位置感知機能が与えられると、電気バッテリ装置を使用して認証機能を実装することが更に可能になる。言い換えると、電気バッテリ装置が、異なる電子デバイスに対する当該電気バッテリ装置の（及びホスト電子デバイスの）近接性を感知する場合、これを認証のために使用することができる。限定ではないが、例えば電気バッテリ装置が、バッテリ動作式の電源ツールで用いられる場合、一対の安全なゴーグル（goggle）がごく近くで検出されるまで、電力供給は保留にされることがある。このシナリオでは、安全なゴーグルは、従来の方法を使用して電子的に検出可能であるか、他の手段により特定の位置にあることが分かるであろう。別の例は、これもやはり限定ではないが、ホスト電子デバイスを使用する許可が与えられた人によって保持される特定のハードウェアキーに対してごく近くにあることが検出された場合にのみ、ホスト電子デバイスに電力を供給することに関する。したがって、ホスト電子デバイスの使用は、正しいハードウェアキーを保持している人々のみに制限されることになる。更に別の例は、これもやはり限定ではないが、この近接性の機能を支払の目的のために使用することに関する。このシナリオでは、特定の場所又は対象物に対するホスト電子デバイスの近接性がログ記録され、そのログを使用して、ログ記録された場所での施設の使用料又は対象物の使用料をホストデバイスのユーザに請求をすることができる。電気バッテリ装置がリモートコンピューティングデバイスと通信する場合、近接性のログをリモートコンピューティングデバイスに送信してもよく、あるいは電気バッテリ装置が周期的に、特定の場所又は対象物に対する近接性の情報をリモートコンピューティングデバイスに送信し、このデバイスが近接性のログを生成してもよい。いずれにしても、近接性のログを使用して、ホスト電子デバイスのユーザに請求をすることになる。
【００２９】
したがって、一実施形態において、上述のコンピュータプログラムは、特定の対象物が電気バッテリ装置の所定の距離内にあるかどうかを、上述のセンサの出力に基づいて特定するモジュールを含む。別の実施形態において、コンピュータプログラムは、上述の対象物が、電気バッテリ装置の所定の距離内にあると特定されたときにのみ、（電力制御デバイスを使用して）ホスト電子デバイスに電力を供給するモジュールも含む。さらに、また別の実施形態では、コンピュータプログラムは、電気バッテリ装置が特定の場所又は対象物の所定の距離内にあることを示すメッセージを、（上述のトランスミッタを使用して）データ通信ネットワークを介してリモートコンピューティングデバイスに送信するモジュールを含む。
【００３０】
２．５  電力管理
電気バッテリ装置は、（センサにより）電力消費及び周囲の環境についての知識と、（電力制御デバイスにより）ホスト電子デバイスの電力利用に対する制御とを有するので、様々な電力管理機能を実装することが可能である。限定ではないが、例えばホスト電子デバイスを特定の条件下でターンオフすることができ、そのような条件には、例えば日時（例えば夜に自動的にターンオフされる）、ホストデバイス又はバッテリに有害な可能性がある特定の気温（例えばデバイスが暑い車の中に長期間放置される場合）、特定の利用パターン（例えば所定の期間の間、使用するために動かされないか感知されない場合、ターンオフされる）、検出可能な人又は対象物が近くにないとき（例えばホスト電子デバイスの使用者がごく近くにいないとき、ターンオフする）、ホスト電子デバイスが特定の場所にあるとき（例えばミーティングルームや映画館、あるいはホストデバイスが妨げとなる可能性がある他の場所にあるとき、ターンオフする）、検出可能な人又は対象物の近くであるとき（例えばホストデバイスのユーザがごく近くにいるとき、ターンオンする）、動かされるとき（例えばユーザがホスト電子デバイスを取り上げるか、振るとき）等がある。
【００３１】
上記の例及び本明細書で具体的に説明されない他の例において、ホスト電子デバイスをターンオフ又はターンオンすることが適切でないこともあることに留意されたい。ホスト電子デバイスに提供される電力は、このホスト電子デバイスをシャットオフするのではなく、最大限に電力供給（fully  power）するように変化することがより適切であることがあり得る。例えばホストデバイスの特定の機能は、継続的な電力を必要とすることがあるので（例えばクロック）、電力を完全にシャットオフすることは、その機能に不利な影響を与えるであろう。したがって、特定の感知された状態又は場所に基づいて電力を最小にするか又は最大にすること（デバイスをシャットオフすること又はデバイスに完全に電力を供給することを含む）を示すことは、より網羅的であり、これは前述の例と読み取られるべきである。
【００３２】
さらに、電力利用及びセンサデータ（場所を含む）の前述のトラッキング及び記録の観点から、データを分析し、ホスト電子デバイスに対する電力を有利に最小又は最大にすることができる時の状況又は時間を予測することが可能である。したがって、（夜に電力を最小にするといった）所定の論理ルールに依拠するのではなく、この論理をホストデバイスの使用パターンに対して調整することができる（ホストデバイスが典型的に使用されていない時間の間は、電力を最小限にすること等）。
【００３３】
上記の事項を所与とすると、一実施形態において、上述のコンピュータプログラムは、バッテリ電力利用を、記録されたバッテリ電力利用又はセンサパターンに基づいて予測するモジュールを含む。別の実施形態では、コンピュータプログラムは、予測されるバッテリ電力利用に基づいてホスト電子デバイスが使用されていない時に、ホスト電子デバイスによるバッテリ電力消費を（電力制御デバイスを使用して）最小にするモジュールも含む。
【００３４】
さらに、記録されたバッテリ電力利用又はセンサパターンに基づいてバッテリ電力利用を予測するモジュールは、繰り返し生じる高需要の期間を特定することができる。電気バッテリ装置も、動作するのにバッテリから電力を取るので、これは重要なことである。ホスト電子デバイスの電力需要と組み合される電気バッテリ装置の電力需要が、容認できない速さでバッテリを放出する場合、電気バッテリ装置自体の電力需要を最小限にするステップを取ることができる（例えばセンサ、通知デバイス、トランスミッタ等をシャットダウンする）。したがって、一実施形態において、コンピュータプログラムは、電気バッテリ装置及びホスト電子デバイスの予測されるバッテリ電力利用に基づいて、ホスト電子デバイスによる電力需要がより高くなる時に、電気バッテリ装置によるバッテリ電力消費を最小にするモジュールを含む。
【００３５】
更に別の実施形態では、コンピュータプログラムは、ホスト電子デバイスに提供されるバッテリ電力を（電力制御デバイスを使用して）その現在の位置に基づいて制御するモジュールを含む。したがって、提供される電力量は、典型的にホスト電子デバイスが使用されないか使用すべきでない場所において、絞られるか最小にされる。限定ではないが、例えば電気バッテリ装置を用いるリモート制御のおもちゃの車には、これが室内に置かれているときは、その最大電力量の半分のみの電力が提供され、その周囲に対するダメージの可能性を低減させる。
【００３６】
２．６  再充電
電力利用についての上述のトラック及び記録の観点において、電気バッテリ装置が再充電可能なバッテリを用いるときに、バッテリの再充電に影響を与えることが可能であることにも留意されたい。これは、ホスト電子デバイスのユーザに、上述の通知デバイスにより、バッテリを再充電する必要性を通知することを要することがある。これは、記録された電力利用パターンを考慮するよう、時間調整されることも可能であることに留意されたい。限定ではないが、例えば現在利用可能な電力量が短期的に予想される利用には十分であるが、記録された電力利用パターンが、特定の時間に多く利用され、その日のうちに再充電が試みられることがない（これによりその時間の間は再充電は可能でない）ことを示すと想定すると、その日に予測される電力需要に合うのには十分ではないことになる。そのような場合、通常は現在の電力レベルが即時のアクションを正当化しないとしても、ユーザは、バッテリを再充電（又は交換）の必要性を通知されるであろう。
【００３７】
電気バッテリ装置のバッテリを再充電する別の有利なシナリオは、自動化された自律的充電に関する。一実施形態において、電気バッテリ装置は、バッテリが低電力で動作しているとき、再充電を必要とする。再充電自体は、指向性の無線充電器を用いて行われてよく（例えば壁のコンセントにプラグインされて、電力をデバイスへと向ける）、あるいは電気バッテリ装置の場所へと移動して帰納的に再充電する自律ロボットにより行われてもよい。理論的には、ユーザは二度と充電について心配する必要がない。
【００３８】
このために、一実施形態において、コンピュータプログラムは、バッテリを再充電する必要があるかどうかを（例えば記録されたバッテリ電力利用パターンに基づいて）決定し、再充電要求を（上述のような）リモート充電デバイス又はリモート充電デバイス制御するリモートコンピューティングデバイスのいずれかに（上述のトランスミッタを使用して、データ通信ネットワークを介して）送信するモジュールを含む。
【００３９】
３．０  集約システム（Aggregate  System）
コンピュータ、センサ、アクチュエータといったインターネット接続されるデバイスが増えてきている。一部の予測では、２０２０年までに展開されるそのようなデバイスは５００億を超えることが予想される。これらのデバイスは既に、家や職場、車両や公共の場に広がり始めている。これらのデバイスは、環境の状態を見て、聞き、感知し；コンテキスト及びアクションを推論し；世界とのユーザ対話を予測して仲介し；人間がより効果的になることを可能にする。しかしながら、これらの技術の多くは、相互に別個に展開されており、「ダンプ（dump）」感知及び作動システムのスタンドアロンのポイントの解決（point-solution）の世界は、その各々が、非常に小さなタスクのセットを行うのに専用のものとなるように作成されている。本明細書で説明される電気バッテリ装置は、これらのスタンドアロンのデバイスが、集合的に動作する機会を提供する。
【００４０】
様々な電気バッテリ装置の実施形態の上記の説明では、しばしばトランスミッタを用いて、記録されたバッテリ電力利用パターン若しくはセンサデータ、位置データ及び再充電要求をリモートコンピューティングデバイスに送信していた。この情報は、電気バッテリ装置を用いる単一の電子コンピューティングのみに対しても有益ではあるが、各々が電気バッテリ装置を用いる複数の電子デバイスに結合されるときに更に有益なものとなる可能性がある。通信ロジック、識別情報等を、複数の電気バッテリ装置が取り付けられる複数の電子デバイスに統合することにより、既存のデバイスから巨大なネットワークを確立することができる。
【００４１】
電気バッテリ装置が取り付けられた電子デバイスの上記ネットワークの価値は、各デバイスと１つ又は複数のリモートコンピュータとの間の通信が双方向である場合により高くなる。双方向のシナリオでは、各ホスト電子デバイスの電気バッテリ装置は、情報をリモートコンピュータに伝送することができるだけでなく、データ及び命令を受信することもできる。これは、中央のコントローラが従来のスタンドアロン（「ダンプ」）デバイスの座標系を制御することができ、これらのデバイスが集約システムの一部になるまでは利用可能でなかった、より洗練された機能を可能にするという点において、様々な可能性を開く。限定ではないが、例えばリモートコンピュータとの双方向の通信は、リモートコンピュータのユーザが、前述のコンポーネントに分配される機能性を全てプログラムし、キャリブレートし、モニタすることを可能にする。加えて、これは、（各電気バッテリ装置を通して）センサ／デバイスの中央／グローバル制御を可能にするであろう。
【００４２】
より具体的には、双方向の通信シナリオは、新たにアクティブ化された（例えばホスト電子デバイスに新たに設置された）電気バッテリ装置が、そのような装置のネットワークに加わることを可能にする。例えば一実施形態において、新たにアクティブ化された電気バッテリ装置は、上述のコンピュータプログラムの予めプログラムされたモジュールを実行して、データ通信ネットワークを介して、適切な電気バッテリ装置ネットワークを検索することがある。あるいは、新たにアクティブ化された電気バッテリ装置は、データ通信ネットワークに接続して、電気バッテリ装置ネットワークへ参加するよう、この電気バッテリ装置を招待するメッセージを待つように構成されることもある。適切なネットワークが特定されると、新たにアクティブ化された電気バッテリ装置は、電気バッテリネットワークに登録するよう、識別情報（例えば一意の識別子、その位置、パスワード等）を提供するように構成され得る。登録されると、電気バッテリネットワークに関連付けられるリモートコンピュータは、追加のプログラムモジュールを、ネットワークの目的に適したコンピューティングデバイスにダウンロードすることができる。
【００４３】
３．１  双方向の通信能力を有する電気バッテリ装置
一実施形態において、感知、演算及び双方向の通信装置が、各電気バッテリ装置に直接に組み込まれる。より具体的には、図３を参照すると、双方向の通信バージョンの電気バッテリ装置３００は、電気接点３１６を介して別個の電子デバイス３０４に電力を供給する１つ又は複数の電気バッテリ３０２を含む。１つ又は複数の電気バッテリ３０２により別個の電子デバイス３０４に供給される電力量を制御するオプションの電力制御デバイス３０６も含むことができる。加えて、電気バッテリの状態、外部の状態又はその双方をモニタする１つ又は複数のセンサ３０８が存在する。電力制御デバイス３０６とセンサ３０８の各々は、（以下の例示の動作環境のセクションで説明されるように）コンピューティングデバイス３１０と通信する。コンピューティングデバイス３１０は、（含まれる場合には）電力制御デバイスと各センサの動作、そしてオプションで他のデバイスの動作を少なくとも制御するために実行されるプログラムモジュールを有するコンピュータプログラムを含む。加えて、コンピューティングデバイス３１０は、リモートコンピューティングデバイスと通信する双方向の通信インタフェースコンポーネント３１２を含む。これは、標準のハードワイヤードインタフェース（図示せず）又はトランシーバ３１４に結合される無線インタフェースであってよい。このトランシーバは、無線又は光（例えば赤外線）周波数で動作する任意の適切な無線トランシーバとすることができる。いずれにしても、ハードワイヤインタフェース又は無線インタフェース／トランシーバは、データ通信ネットワークを介してリモートコンピューティングデバイスにデータを伝送し、このネットワークを介してリモートコンピューティングデバイスからのデータ及びコマンドを受信する。
【００４４】
別の実施形態において、上述の装置は、トランシーバを有することを除いて、以前に説明したケースを有する電気バッテリ装置の実施形態と同様であり、市販のバッテリの周囲に適合するケース内に組み込まれる。以前と同様に、（トランシーバを含む）電子コンポーネントは、１つ又は複数の電気バッテリを受け入れて保持する、支持構造内に組み込まれる。この構造は、１つ又は複数の電気バッテリから別個の電子デバイスへ、このデバイスに電力を供給すべく電流を送る電気接点を含む。
【００４５】
３．２  双方向の通信機能を使用する感知、計算及び通信機能
以前に示したように、本明細書で説明される双方向の通信機能を有する電気バッテリ装置は、（含まれる場合には）電力制御デバイス、トランシーバ及び各センサの動作、そしてオプションで他のデバイスの動作を少なくとも制御するのに使用されるコンピュータプログラムを有するコンピューティングデバイスを含む。したがって、様々な有利な感知、演算及び双方向通信機能を実現することができる。
【００４６】
一実施形態において、電気バッテリ装置内のコンピューティングデバイス上で実行するコンピュータプログラムは、バッテリ電力利用パターンをトラック及び記録するためのモジュールと、上述のトランシーバを用いて、記録されたバッテリ電力利用パターンを、標準のデータ通信ネットワークを介してリモートコンピューティングデバイスに伝送するモジュールを含む。したがって、各々が電気バッテリ装置を用いる複数の電子デバイスを有するネットワークにおいて、リモートコンピュータ（又は相互に通信するリモートコンピュータのグループ）は、参加しているホスト電子デバイスの全てにおけるバッテリの状態を知ることが可能になる。
【００４７】
電子デバイスグループ内のバッテリの状態を知ることは、非常に有益なことであり得る。例えばホスト電子デバイスの電気バッテリ装置が再充電可能なバッテリを有すると仮定すると、リモートコンピュータは、バッテリが低電力状態で動作しているとき、再充電を必要とすることがある。再充電は、前述の方法のうちの１つで行うことができる。別の例として、一実施形態において、電気バッテリ装置内のコンピューティングデバイス上で動作しているコンピュータプログラムが、リモートコンピュータからデータ通信ネットワークを介して命令を受信するモジュールを含む場合、リモートコンピュータは、上記グループ内の電気バッテリ装置へ、該装置にそのホスト電子デバイスに供給される電力量を修正させる命令を送信することにより、電力消費を最適化することができる。バッテリ電力は、上述のように、（この実施形態に含まれる）上記の電力制御デバイスを使用して制御される。したがって、複数のホスト電子デバイス及びその電気バッテリ装置が、割り当てられた同じタスクのための空間（例えば家又はオフィス）内で使用されている場合、リモートコンピューティングデバイスが、低電力で動作しているバッテリを有する電気バッテリ装置に、ホスト電子デバイスに供給される又はその装置自体によって使用される電力量を最小にするよう指示し、次いで、（簡潔な表現ではあるが）空間内の他のデバイス及び空間内のそれらの電気バッテリ装置に依拠して、割り当てられたタスクを達成する。さらに、リモートコンピュータが、タスクを電気バッテリ装置のグループに割り当てている場合、高い電力消費率を要するタスクを、利用可能な電力量がより多い電気バッテリ装置に割り当てることができる。上述のタスクは、限定ではないが、電気バッテリ装置に搭載されるセンサを使用して、環境の様々な態様を感知すること（例えば温度、動き、周辺光の状態等）、ホスト電子デバイスに電力を提供し、そのホスト電子デバイスの典型的なタスクを実行するのを容易にすること（例えばホスト電子デバイスがバッテリ式の無線スピーカであるとき、音楽を再生すること）等を含め、様々な事とすることができる。
【００４８】
４．０  例示の動作環境
本明細書で説明される電気バッテリ装置の実施形態は、演算要件及び利用可能な物理的空間に応じて、様々なタイプの汎用又は専用のコンピューティングシステム環境又は構成を用いることができる。図４は、本明細書で説明されるような電気バッテリ装置の様々な実施形態が、コンピューティングデバイスとして用いることができる、汎用のコンピューティングシステムの簡略化された例を図示している。図４内の破線すなわち点線で示されるボックスはいずれも、簡略化されたコンピューティングデバイスの代替の実施形態を表しており、以下で説明されるように、これらの代替の実施形態のいずれか又は全てを、本明細書全体を通じて説明される他の実施形態との組み合わせで使用してもよいことに留意されたい。
【００４９】
例えば図４は、簡略化されたコンピューティングデバイス１０を表す一般的なシステム図を示している。このようなコンピューティングデバイスは典型的に、少なくとも何らかの最小限の演算機能を有するデバイスにおいてみられ、限定ではないが、このようなデバイスは、パーソナルコンピュータ、サーバコンピュータ、ハンドヘルドコンピューティングデバイス、ラップトップ又はモバイルコンピュータ、携帯電話やＰＤＡが有するような通信デバイス、マルチプロセッサシステム、マイクロプロセッサベースのシステム、セットトップボックス、プログラマブル家庭用電化製品、ネットワークＰＣ、ミニコンピュータ、メインフレームコンピュータ、オーディオ又はビデオメディアプレーヤ等を含む。
【００５０】
コンピューティングデバイスが、本明細書で説明される電気バッテリ装置の実施形態で動作できるように、デバイスは、基本的な演算動作を可能にするのに十分な演算機能とシステムメモリを有するべきである。特に、図４によって図示されるように、演算機能は、一般的に１つ又は複数の処理ユニット１２によって図示されており、１つ又は複数のＧＰＵ１４を含むこともあり、そのいずれか一方又は双方がシステムメモリ１６と通信する。汎用コンピューティングデバイスの処理ユニット１２は、ＤＳＰ、ＶＬＩＷ又は他のマイクロコントローラのような特別なマイクロプロセッサであってもよく、あるいはマルチコアＣＰＵの専用のＧＰＵベースのコアを含む、１つ又は複数の処理コアを有する従来的なＣＰＵとすることもできる。
【００５１】
加えて、図４の簡略化されたコンピューティングデバイスは、例えば通信インタフェース１８のような他のコンポーネントも含み得る。図４の簡略化されたコンピューティングデバイスは、１つ又は複数の従来的なコンピュータ入力デバイス２０（例えばポインティングデバイス、キーボード、オーディオ入力デバイス、ビデオ入力デバイス、触覚入力デバイス、有線又は無線のデータ伝送を受信するためのデバイス等）も含んでもよい。図４の簡略化されたコンピューティングデバイスは、例えば１つ又は複数の従来的なディスプレイデバイス２４並びに他のコンピュータ出力デバイス２２（例えばオーディオ出力デバイス、ビデオ出力デバイス、有線又は無線のデータ伝送を送信するためのデバイス等）のような他のオプションのコンポーネントも含んでよい。汎用コンピュータのための典型的な通信インタフェース１８、入力デバイス２０、出力デバイス２２及びストレージデバイス２６は、当業者には周知であり、本明細書では詳細には説明しないことに留意されたい。
【００５２】
図４の簡略化されたコンピューティングデバイスは、様々なコンピュータ読取可能媒体も含み得る。コンピュータ読取可能媒体は、ストレージデバイス２６を介してコンピュータ１０によってアクセス可能な任意の利用可能な媒体とすることができ、コンピュータ読取可能若しくはコンピュータ実行可能命令、データ構造、プログラムモジュール又は他のデータのような情報を格納するための、取外し可能２８及び／又は取外し不可能３０のいずれかの揮発性及び不揮発性媒体の双方を含む。限定ではなく例として、コンピュータ読取可能媒体は、コンピュータ記憶媒体と通信媒体を備えることがある。コンピュータ記憶媒体は、これらに限られないが、ＤＶＤ、ＣＤ、フロッピー（登録商標）ディスク、テープドライブ、ハードドライブ、光ドライブ、半導体メモリデバイス、ＲＡＭ、ＲＯＭ、ＥＥＰＲＯＭ、フラッシュメモリ若しくは他のメモリ技術、磁気カセット、磁気テープ、磁気ディスクストレージ若しくは他の磁気ストレージデバイス又は所望の情報を格納するのに使用することができ、１つ若しくは複数のコンピューティングデバイスによってアクセス可能な任意の他のデバイスといった、コンピュータ又はマシン読取可能な媒体又はストレージデバイスを含む。
【００５３】
コンピュータ読取可能又はコンピュータ実行可能命令、データ構造、プログラムモジュール等といった情報の保持を、１つ若しくは複数の変調データ信号若しくは搬送波をエンコードする様々な上述の通信媒体又は他の伝送機構若しくは通信プロトコルのいずれかを使用することによって行うこともでき、任意の有線又は無線情報配信機構を含む。「変調データ信号」又は「搬送波」という用語は、一般に、情報を信号内にエンコードするような手法で設定又は変更された特性の１つ又は複数を有する信号を指すことに留意されたい。例えば通信媒体は、１つ又は複数の変調データ信号を担持する有線ネットワーク又は直接有線接続のような有線媒体と、音響、ＲＦ、赤外線、レーザ及び１つ若しくは複数の変調データ信号又は搬送波を送信及び／又は受信するための他の無線媒体のような無線媒体とを含む。上記の任意の組合せも、通信媒体の範囲に含まれるべきである。
【００５４】
さらに、本明細書で説明される電気バッテリ装置の実施形態又はその一部の様々なコンピュータモジュールの一部又は全てを具現化するソフトウェア、プログラム及び／又はコンピュータプログラム製品は、コンピュータ又はマシン読取可能な媒体又はストレージデバイスと、コンピュータ実行可能命令又は他のデータ構造の形式の通信媒体との任意の所望の組合せから格納、受信、送信又は読み取りが可能である。
【００５５】
最後に、本明細書で説明される電気バッテリ装置の実施形態のモジュールは更に、コンピューティングデバイスによって実行されるコンピュータ実行可能命令の一般的なコンテキストで説明されてもよい。一般に、そのようなプログラムモジュールは、ルーチン、プログラム、オブジェクト、コンポーネント、データ構造等を含み、これらは、特定のタスクを実行するか、特定の抽象データタイプを実装する。本明細書で説明される実施形態は、タスクが１つ又は複数のリモート処理デバイスによって実行される分散コンピューティング環境において実施されてもよく、あるいは１つ又は複数の通信ネットワークを介してリンクされる１つ又は複数のデバイスのクラウド内で実施されてもよい。分散コンピューティング環境では、プログラムモジュールは、メディアストレージデバイスを含め、ローカルとリモートの双方のコンピュータ記憶媒体に配置されてもよい。またさらに、上述の命令は、プロセッサを含むことも含まないこともあるハードウェアロジック回路の一部又は全てとして実装されてもよい。
【００５６】
５．０  他の実施形態
説明全体を通して上記の実施形態のいずれか又は全てを、所望の任意の組合せで使用して追加のハイブリッドの実施形態を形成してもよいことが認識される。加えて、本主題は、構造的特徴及び／又は方法的動作に特有の言語で説明されているが、添付の特許請求の範囲において定義される主題は、必ずしも上述の特有の特徴又は動作に限定されないことが理解されよう。むしろ、上述の特有の特徴及び操作は、特許請求の範囲を実装する例示の形式として開示されている。
【図１】
2016503562.tif 000003
【図２】
2016503562.tif 000004
【図３】
2016503562.tif 000005
【図４】
2016503562.tif 000006
【国際調査報告】
2016503562.tif 000007
2016503562.tif 000008
2016503562.tif 000009